(57)【要約】【課題】本発明は、フェース部を強度と耐久性を落とさないように薄くして、ヘッドの反発計数を高めるととともに、美観にも優れたゴルフクラブヘッドを提供することを目的とする。【解決手段】課題を解決する為の手段は、フェース部の裏面にキャビティ底面を有し、キャビティ下面を区画するソール部上面のキャビティ底面とは離れた位置に、上方に向けて伸びる壁面を有するアイアンヘッドにおいて、前記壁面に文字、記号を鏡文字として設け、キャビティ底面の中心線平均粗さＲａを０．５μｍ以上１０μｍ以下の鏡面加工としたことを特徴とするアイアンゴルフクラブヘッドである。【選択図】                図２
2004208929.tif 000002
【特許請求の範囲】
【請求項１】
フェース部（２）の裏面にキャビティ底面（４）を有し、キャビティ下面（５）を区画するソール部上面（６）のキャビティ底面（４）とは離れた位置に、上方に向けて伸びる壁面（７）を有するアイアンヘッド（１）において、
前記壁面（７）に文字、記号を鏡文字（８）として設け、
キャビティ底面（４）の中心線平均粗さＲａを０．５μｍ以上１０μｍ以下としたことを特徴とするアイアンゴルフクラブヘッド。
【発明の詳細な説明】
【０００１】
【発明の属する技術分野】
本発明はフェースの肉厚を薄くして飛距離を確保するとともに、美観及び耐久性にも優れたアイアンゴルフクラブヘッドに関するものである。
【０００２】
【従来の技術】
従来のキャビティタイプのアイアンゴルフクラブヘッドは、キャビティ底面を形成するフェースバック部に、文字、記号、図柄等の装飾が施された装飾部を有している。装飾部の形成方法としては、加工面に研磨処理やサンドブラスト等を施した後で、刻印や彫刻を行って、凹部を形成する方法が一般的である。
【０００３】
また、ヘッドとは別体で形成された装飾用のバッジやシール等をフェースバック部に接着する事によって装飾部とする方法もとられている。また、切削加工で溝を形成し、その溝部分にその溝よりも更に深い凹部を形成する事により装飾部を形成する方法もある（たとえば特許文献１）。
【０００４】
【特許文献１】
特開２０００−２９６１９１号公報
【０００５】
【発明が解決しようとする課題】
しかし、最近はアイアンヘッドにおいても高い反発性能が要求されているので、フェース部の肉厚はできる限り薄く設計することが一般的である。ところがキャビティ内のフェース部裏面に刻印を設ける方法では、刻印の周辺に応力集中が起きるので、安全率を考慮して肉厚に余裕を持たせる必要がある。このため、ボール打撃時のフェース部のたわみが減少し、飛距離が低下するという問題を有している。
【０００６】
浅い装飾を施せば、応力集中は起きにくくなるものの、刻印によって装飾を施した場合は、刻印部周辺が陥没や浮きにより凹凸が発生し、凹凸を修正するために再度研磨を施す必要がある。また、彫刻で装飾を施した場合も、装飾部周辺にバリが生じるので、やはり再度研磨を施す必要がある。そして、装飾の深さが浅いために、研磨時に装飾内に研磨痕が付き、美観を損なう。
【０００７】
またヘッドとは別体の装飾部品を接着等でつけた場合や、塗装やマークを施した場合は、フェース強度の問題はなくなるが、作業工程が増える上に、湿気や気温の変化や打球等の衝撃の影響でヘッドから剥離してしまうおそれがある。
【０００８】
本発明の目的は、かかる問題点に鑑みてなされたもので、フェース部を強度と耐久性を落とさないように薄くして、ヘッドの反発計数を高めるととともに、美観にも優れたゴルフクラブヘッドを提供することにある。
【０００９】
【課題を解決するための手段】
前記課題を解決する為の手段は、フェース部の裏面にキャビティ底面を有し、キャビティ下面を区画するソール部上面のキャビティ底面とは離れた位置に、上方に向けて伸びる壁面を有するアイアンヘッドにおいて、前記壁面に文字、記号を鏡文字として設け、キャビティ底面の中心線平均粗さＲａを０．５μｍ以上１０μｍ以下としたことを特徴とするアイアンゴルフクラブヘッドである。
【００１０】
鏡文字とは、鏡に映したときに正規の文字配列となるように文字の左右と、文字の配列の左右とを逆にして設けられる文字をいう。また文字と同様の方向性を持つ記号であっても良い。この鏡文字がキャビティ底面に投影されることで、使用者がアイアンゴルフクラブヘッドを見ると、キャビティ内に正規の文字が配列されているように見える。
【００１１】
このとき、キャビティ底面が鏡として作用するためには、表面粗さが小さい方がよく、鏡文字の装飾を十分に視認させるためには、中心線平均粗さが１０μｍ以下であることが望ましい。中心線平均粗さが１０μｍを越えると、キャビティ底面の平滑度が不十分になり、鏡文字を装飾として認識することが難しくなるからである。また、現在の一般的な製造技術では、中心線平均粗さＲａは０．５μｍ程度までがふつうにできる範囲であり、平滑度も十分である。
【００１２】
【発明の実施の形態】
本発明の実施の形態を、図を用いて説明する。図１は、フェース部材（図示せず）をヘッド本体とは別に形成し、ヘッド本体と一体化することによって形成されるアイアンヘッド１であって、フェース部２の裏面にキャビティ底面４を有し、キャビティ下面５を区画するソール部上面６のキャビティ底面４とは離れた位置に、上方に向けて伸びる壁面７を有するアイアンヘッド１において、前記壁面７に文字、記号を鏡文字８として設け、キャビティ底面４の中心線平均粗さＲａを０．５μｍ以上１０μｍ以下としたことを特徴とするアイアンゴルフクラブヘッドである。
【００１３】
本発明のように装飾部を施すことにより、キャビティ底面４を若干斜め方向から眺めると、壁面７に設けた鏡文字や、記号、図柄等の装飾が反射投影される事により、キャビティ底面４に装飾を施したかのように見える。
【００１４】
フェース一体型のアイアンヘッド１においても本発明の形態は有効であるが、キャビティ底面４を鏡面になるまで研磨するには、フェース部材をヘッド本体とは別に設けて、先にキャビティ底面４の中心線平均粗さＲａを０．５μｍ以上１０μｍ以下にしておくことが望ましい。
【００１５】
鏡文字８の施される壁面７と、キャビティ底面４のなす角度は、３０度以上８０度以下とする。３０度よりも小さくなると、開口角度が小さくなりすぎて、鏡文字８がキャビティ底面４に投影されても、使用者が装飾として認識できないためである。また、８０度を超えると、鏡文字８のキャビティ底面４への投影角度が浅くなり、やはり使用者が装飾として認識できないためである。
【００１６】
また、キャビティ底面４は、装飾が結像する必要があるので、少なくともフェース部２は金属材料を使用する。フェース部２の材料としては、チタン、チタン合金や、ステンレス、マレージング鋼等の鉄系合金材料を用いることが可能である。
【００１７】
さらには、反発性能を高めるために、フェース部材を極限まで薄くした場合にも、フェース部２には装飾のための肉厚変化がないので、フェース割れや、クラックの発生等の恐れがすくなくなる。
【００１８】
【発明の効果】
本発明によると低コストで外観上の美観及び耐久性に優れた装飾を有するゴルフクラブヘッドを提供する事が可能である。また、フェース部の裏面となるキャビティ底面４に鏡面研磨を施すことにより、フェース裏面の金属結晶が緻密化されるので、フェース部の強度がより向上する。
【図面の簡単な説明】
【図１】フェース部材を除いた、本発明のアイアンヘッド
【図２】本発明のアイアンヘッド
【符号の説明】
１  アイアンヘッド、２  フェース部、３  キャビティ部、４  キャビティ底面、５  キャビティ下面、６  ソール部上面、７  壁面、８  鏡文字
【図１】
2004208929.tif 000003
【図２】
2004208929.tif 000004